(57)【特許請求の範囲】
【請求項１】
配電網上に配備された複数の蓄電装置の充放電制御を行う蓄電制御装置であって、
前記配電網上に配備された第１の蓄電装置の使用状態を判定する状態判定部と、
前記状態判定部における判定結果に応じて、前記配電網上において前記第１の蓄電装置と接続された第２の蓄電装置を、前記第１の蓄電装置の代わりに使用するための制御信号を生成する信号生成部と、
前記信号生成部において生成された制御信号を、前記第２の蓄電装置に対して送信する通信部と、
前記第１の蓄電装置のメンテナンス計画に関する情報を保存する記憶部と、
を備え、
前記状態判定部は、前記第１の蓄電装置がメンテナンスを実施されている状態であるか否かを、前記記憶部に予め保存されたメンテナンス計画に関する情報に基づいて判定する、
蓄電制御装置。
【請求項２】
前記状態判定部は、前記第１の蓄電装置が使用不可能な状態であるか否かを判定する、
請求項１に記載の蓄電制御装置。
【請求項３】
前記状態判定部は、前記第１の蓄電装置に取り付けられた加速度センサ、温度センサ、電流センサ、電圧センサのうち少なくとも１つの検出結果に基づいて、前記第１の蓄電装置が使用不可能な状態であるか否かを判定する、
請求項２に記載の蓄電制御装置。
【請求項４】
前記状態判定部は、前記第１の蓄電装置に取り付けられた電圧センサの検出結果に基づいて、前記第１の蓄電装置が故障した状態であるか否かを判定する、
請求項２に記載の蓄電制御装置。
【請求項５】
前記状態判定部は、前記第１の蓄電装置が正常稼動状態であるか否かを判定する、
請求項１から４のいずれか１項に記載の蓄電制御装置。
【請求項６】
前記配電網上に配備された前記第２の蓄電装置を検索する検索部を、さらに備えている、
請求項１から５のいずれか１項に記載の蓄電制御装置。
【請求項７】
前記信号生成部は、複数の前記第２の蓄電装置の充放電を制御するための制御信号を生成する、
請求項１から６のいずれか１項に記載の蓄電制御装置。
【請求項８】
前記信号生成部は、前記第２の蓄電装置の蓄電容量の少なくとも一部の使用を予約する予約信号を生成する、
請求項１から７のいずれか１項に記載の蓄電制御装置。
【請求項９】
前記信号生成部は、前記制御信号によって、前記第２の蓄電装置の入出力電流を制御する、
請求項１から８のいずれか１項に記載の蓄電制御装置。
【請求項１０】
前記状態判定部における判定結果を表示部に表示させる表示制御部を、さらに備えている、
請求項１から９のいずれか１項に記載の蓄電制御装置。
【請求項１１】
配電網上に配備された複数の蓄電装置の充放電制御を行う蓄電制御方法であって、
前記配電網上に配備された第１の蓄電装置の使用状態を判定する状態判定ステップと、
前記状態判定ステップにおける判定結果に応じて、前記配電網上において前記第１の蓄電装置と接続された第２の蓄電装置を、前記第１の蓄電装置の代わりに使用するための制御信号を生成する信号生成ステップと、
前記信号生成ステップにおいて生成された制御信号を、前記第２の蓄電装置に対して送信する通信ステップと、
を備え、
前記状態判定ステップでは、前記第１の蓄電装置がメンテナンスを実施されている状態であるか否かを、予め保存されたメンテナンス計画に関する情報に基づいて判定する、
蓄電制御方法。
【請求項１２】
配電網上に配備された複数の蓄電装置の充放電制御を行う蓄電制御プログラムであって、
前記配電網上に配備された第１の蓄電装置の使用状態を判定する状態判定ステップと、
前記状態判定ステップにおける判定結果に応じて、前記配電網上において前記第１の蓄電装置と接続された第２の蓄電装置を、前記第１の蓄電装置の代わりに使用するための制御信号を生成する信号生成ステップと、
前記信号生成ステップにおいて生成された制御信号を、前記第２の蓄電装置に対して送信する通信ステップと、
を備え、
前記状態判定ステップでは、前記第１の蓄電装置がメンテナンスを実施されている状態であるか否かを、予め保存されたメンテナンス計画に関する情報に基づいて判定する、
蓄電制御方法をコンピュータに実行させる蓄電制御プログラム。
【発明の詳細な説明】
【技術分野】
【０００１】
本発明は、配電網上に配備された複数の蓄電装置を制御する蓄電制御装置、蓄電制御方法、および蓄電制御プログラムに関する。
【背景技術】
【０００２】
近年、複数の需要家が接続される配電網上において、一時的に電力を蓄える蓄電装置が配備されている。
このような蓄電装置は、性能を維持するために、所定期間ごとにメンテナンスが実施される。
ここで、蓄電装置の満充電容量は、充放電制御されるたびに減少していくことが知られている。そして、その時点での蓄電装置の満充電容量を正確に計測するためには、一定期間、未使用の時間を設けて完全放電させた上で微小電流充電を実施する必要がある。
【０００３】
例えば、特許文献１には、スマートグリッドネットワーク上に接続された共有の蓄電装置をシェアすることで、蓄電装置を所有していないユーザが、ネットワークを介して蓄電装置を利用することが可能となる電力ネットワークシステムについて開示されている。
【先行技術文献】
【特許文献】
【０００４】
【特許文献１】特開２０１３−１６９１３７号公報
【特許文献２】特開２０１５−１７７５８０号公報
【特許文献３】特開２０１５−１２６５６４号公報
【発明の概要】
【発明が解決しようとする課題】
【０００５】
しかしながら、上記従来の電力ネットワークシステムでは、以下に示すような問題点を有している。
すなわち、上記公報に開示されたシステムでは、ネットワーク上において共有の蓄電装置から、電力調達を許可されたユーザに電力供給を行う。
しかし、このようなシステム構成では、例えば、共有の蓄電装置がメンテナンス中、あるいは故障中であって使用できない状況では、共有の蓄電装置からの電力供給を受けることはできない。
【０００６】
本発明の課題は、複数の蓄電装置が配電網上に配備された構成において、第１の蓄電置の使用状況に応じて、第１の蓄電装置と配電網上で接続された第２の蓄電装置の使用することが可能な蓄電制御装置、蓄電制御方法、および蓄電制御プログラムを提供することにある。
【課題を解決するための手段】
【０００７】
第１の発明に係る蓄電制御装置は、配電網上に配備された複数の蓄電装置の充放電制御を行う蓄電制御装置であって、状態判定部と、信号生成部と、通信部と、を備えている。状態判定部は、配電網上に配備された第１の蓄電装置の使用状態を判定する。信号生成部は、状態判定部における判定結果に応じて、配電網上において第１の蓄電装置と接続された第２の蓄電装置を、第１の蓄電装置の代わりに使用するための制御信号を生成する。通信部は、信号生成部において生成された制御信号を、第２の蓄電装置に対して送信する。
【０００８】
ここでは、配電網上に配備された複数の蓄電装置に含まれる第１の蓄電装置の使用状態の判定結果に応じて、近隣の配電網上に配備された他の蓄電装置（第２の蓄電装置）を、第１の蓄電装置の代わりに使用するように制御を行う。
すなわち、本蓄電制御装置では、第１の蓄電装置が使用できない状態であると判定された場合に、第１の蓄電装置の近隣の配電網上に配備された第２の蓄電装置を使用するように制御信号を生成して、第２の蓄電装置へ送信する。
【０００９】
ここで、第１の蓄電装置の使用状態に応じて、第１の蓄電装置の代わりに使用される第２の蓄電装置は、単数であってもよいし、複数であってもよい。つまり、第１の蓄電装置の代わりとして、複数の第２の蓄電装置を用いてもよい。
また、状態判定部において判定される第１の蓄電装置の使用状態としては、蓄電装置として使用可能であるか否かを示す状態であって、例えば、メンテナンスのために使用不可の状態、故障による使用不可の状態、正常な稼動状態等が含まれる。
【００１０】
また、これらの第１の蓄電装置の使用状態の判定は、例えば、第１の蓄電装置に含まれるセルの電流、電圧等を測定する各種センサの検出結果、あるいはメンテナンススケジュール等の情報を用いて行われる。
さらに、第２の蓄電装置の使用としては、例えば、各需要家において生じた余剰電力を蓄える充電制御、あるいは各需要家における電力消費を賄う放電制御等が含まれる。
【００１１】
なお、第２の蓄電装置が近隣の配電網に配備されているか否かは、例えば、第１の蓄電装置と第２の蓄電装置との間のインピーダンス値、電力網構造等の情報を用いて判断することができる。
これにより、近隣の配電網上に配置された複数の蓄電装置について、特定の蓄電装置（第１の蓄電装置）が使用できない場合には、他の蓄電装置（第２の蓄電装置）を使用することができる。
【００１２】
第２の発明に係る蓄電制御装置は、第１の発明に係る蓄電制御装置であって、状態判定部は、第１の蓄電装置がメンテナンスを実施されている状態であるか否かを判定する。
ここでは、第１の蓄電装置の状態判定として、第１の蓄電装置がメンテナンス中であるか否か（使用可否）を判定する。
ここで、第１の蓄電装置がメンテナンス中であるか否かの判定は、例えば、予め記憶されているメンテナンススケジュール等の情報、各種センサを用いて検出されるセルの入出力電流値、電圧値等を用いて行われる。
【００１３】
これにより、第１の蓄電装置がメンテンス中であると判定された場合には、メンテナンス作業が終わるまでは第１の蓄電装置を使用できないため、近隣の配電網上に配備された第２の蓄電装置を使用することができる。
【００１４】
第３の発明に係る蓄電制御装置は、第１または第２の発明に係る蓄電制御装置であって、状態判定部は、第１の蓄電装置が使用不可能な状態であるか否かを判定する。
ここでは、第１の蓄電装置の状態判定として、第１の蓄電装置が使用不可能な状態であるか否か（使用可否）を判定する。
ここで、第１の蓄電装置が使用不可能な状態であるか否かの判定は、例えば、各種センサを用いて検出されるセルの入出力電流値、電圧値等を用いて行われる。
これにより、第１の蓄電装置が使用不可能な状態であると判定された場合には、第１の蓄電装置を使用できないため、近隣の配電網上に配備された第２の蓄電装置を使用することができる。
【００１５】
第４の発明に係る蓄電制御装置は、第３の発明に係る蓄電制御装置であって、状態判定部は、第１の蓄電装置に取り付けられた加速度センサ、温度センサ、電流センサ、電圧センサのうち少なくとも１つの検出結果に基づいて、第１の蓄電装置が使用不可能な状態であるか否かを判定する。
ここでは、第１の蓄電装置の状態判定として、第１の蓄電装置に取り付けられた加速度センサ、温度センサ、電流センサ、電圧センサのうち少なくとも１つの検出結果を用いて、第１の蓄電装置が使用不可能な状態であるか否かの判定を行う。
【００１６】
ここで、例えば、加速度センサにおいて大きな衝撃が付与されたような検出結果であった場合、温度センサにおいて温度異常が検出された場合、あるいは電流センサ、電圧センサ、温度センサ等を用いて残容量値の異常低下が検出された場合等には、第１の蓄電装置が故障しているおそれがある。
これにより、加速度センサ、温度センサ、電流センサ、電圧センサのうち少なくとも１つにおける検出結果を用いて、第１の蓄電装置が使用不可能な状態であるか否かの判定を実施することができる。
【００１７】
第５の発明に係る蓄電制御装置は、第３の発明に係る蓄電制御装置であって、状態判定部は、第１の蓄電装置に取り付けられた電圧センサの検出結果に基づいて、第１の蓄電装置が故障した状態であるか否かを判定する
ここでは、第１の蓄電装置の故障判定として、第１の蓄電装置に取り付けられた電圧センサの検出結果を用いて、第１の蓄電装置が故障した状態であるか否かの判定を行う。
これにより、電圧センサにおける検出結果を用いて、第１の蓄電装置が故障した状態であるか否かの判定を実施することができる。
【００１８】
第６の発明に係る蓄電制御装置は、第１から第５の発明のいずれか１つに係る蓄電制御装置であって、状態判定部は、第１の蓄電装置が正常稼動状態であるか否かを判定する。
ここでは、第１の蓄電装置の状態判定として、第１の蓄電装置が正常稼動中であるか否か（使用可否）を判定する。
【００１９】
ここで、第１の蓄電装置が正常稼動中であるか否かの判定は、例えば、各種センサを用いて検出されるセルの入出力電流値、電圧値等を用いて行われる。
これにより、第１の蓄電装置が正常稼動中であると判定された場合には、第１の蓄電装置を使用できるため、第２の蓄電装置を使用するための制御信号を生成する必要がない。
【００２０】
第７の発明に係る蓄電制御装置は、第１から第６の発明のいずれか１つに係る蓄電制御装置であって、配電網上に配備された第２の蓄電装置を検索する検索部を、さらに備えている。
ここでは、上述したように、第１の蓄電装置の使用状況の判定の結果、使用不可と判定された場合には、第１の蓄電装置の近隣の配電網上に配備された他の蓄電装置（第２の蓄電装置）を検索する。
ここで、第２の蓄電装置の検索条件としては、例えば、第１の蓄電装置との間、あるいは第１の蓄電装置を所有している需要家の電力消費体との間のインピーダンス値、未使用のバッテリ容量等が含まれる。
これにより、第１の蓄電装置が使用不可の状態であっても、近隣の配電網上に配備された所望の第２の蓄電装置を見つけて、第１の蓄電装置の代わりに使用することができる。
【００２１】
第８の発明に係る蓄電制御装置は、第１から第７の発明のいずれか１つに係る蓄電制御装置であって、信号生成部は、複数の第２の蓄電装置の充放電を制御するための制御信号を生成する。
【００２２】
ここでは、上述したように、第１の蓄電装置の使用状況の判定の結果、使用不可と判定された場合には、第１の蓄電装置の近隣の配電網上に配備された複数の第２の蓄電装置を、第１の蓄電装置の代わりとして使用する。
ここで、複数の第２の蓄電装置を使用する場合としては、例えば、近隣の配電網上に配備された他の第２の蓄電装置と比較して、第１の蓄電装置の容量が大きく、単数の第２の蓄電装置では容量が不足するケースが考えられる。また、使用候補となった第２の蓄電装置の使用可能な容量が少なく、単数の第２の蓄電装置では容量が不足するケースが考えられる。
これにより、第１の蓄電装置が使用不可の状態であっても、近隣の配電網上に配備された複数の第２の蓄電装置を、第１の蓄電装置の代わりとして使用することができる。
【００２３】
第９の発明に係る蓄電制御装置は、第１から第８の発明のいずれか１つに係る蓄電制御装置であって、信号生成部は、第２の蓄電装置の蓄電容量の少なくとも一部の使用を予約する予約信号を生成する。
【００２４】
ここでは、上述したように、第１の蓄電装置の使用状況の判定の結果、使用不可と判定された場合には、第１の蓄電装置の近隣の配電網上に配備された第２の蓄電装置について、その少なくとも一部の蓄電容量の使用を予約する予約信号を生成する。
これにより、第２の蓄電装置の所有者等がすでに第２の蓄電装置を使用している場合でも、未使用分の蓄電容量の分について使用予約して使用することで、第２の蓄電装置の所有者等に不都合を与えることなく、第２の蓄電装置を使用することができる。
【００２５】
第１０の発明に係る蓄電制御装置は、第１から第９の発明のいずれか１つに係る蓄電制御装置であって、信号生成部は、制御信号によって、第２の蓄電装置の入出力電流を制御する。
ここでは、上述したように、第１の蓄電装置の使用状況の判定の結果、使用不可と判定された場合には、第１の蓄電装置の近隣の配電網上に配備された第２の蓄電装置について、その入力電流、あるいは出力電流の制御を行う。
これにより、配電網を介して、第２の蓄電装置から電力の供給を受けたり、余剰電力を蓄えたりすることができる。
【００２６】
第１１の発明に係る蓄電制御装置は、第１から第１０の発明のいずれか１つに係る蓄電制御装置であって、状態判定部における判定結果を表示部に表示させる表示制御部を、さらに備えている。
ここでは、状態判定部において判定された第１の蓄電装置の使用状態に関する情報を表示部に表示させる。
これにより、例えば、第１の蓄電装置の使用者は、第１の蓄電装置がメンテナンスや故障等によって使用不可の状態であることを容易に認識することができる。
【００２７】
第１２の発明に係る蓄電制御方法は、配電網上に配備された複数の蓄電装置の充放電制御を行う蓄電制御方法であって、状態判定ステップと、信号生成ステップと、通信ステップと、を備えている。状態判定ステップは、配電網上に配備された第１の蓄電装置の使用状態を判定する。信号生成ステップは、状態判定ステップにおける判定結果に応じて、配電網上において第１の蓄電装置と接続された第２の蓄電装置を、第１の蓄電装置の代わりに使用するための制御信号を生成する。通信ステップは、信号生成ステップにおいて生成された制御信号を、第２の蓄電装置に対して送信する。
【００２８】
ここでは、配電網上に配備された複数の蓄電装置に含まれる第１の蓄電装置の使用状態の判定結果に応じて、近隣の配電網上に配備された他の蓄電装置（第２の蓄電装置）を、第１の蓄電装置の代わりに使用するように制御を行う。
すなわち、本蓄電制御方法では、第１の蓄電装置が使用できない状態であると判定された場合に、第１の蓄電装置の近隣の配電網上に配備された第２の蓄電装置を使用するように制御信号を生成して、第２の蓄電装置へ送信する。
【００２９】
ここで、第１の蓄電装置の使用状態に応じて、第１の蓄電装置の代わりに使用される第２の蓄電装置は、単数であってもよいし、複数であってもよい。つまり、第１の蓄電装置の代わりとして、複数の第２の蓄電装置を用いてもよい。
また、状態判定ステップにおいて判定される第１の蓄電装置の使用状態としては、蓄電装置として使用可能であるか否かを示す状態であって、例えば、メンテナンスのために使用不可の状態、故障による使用不可の状態、正常な稼動状態等が含まれる。
【００３０】
また、これらの第１の蓄電装置の使用状態の判定は、例えば、第１の蓄電装置に含まれるセルの電流、電圧等を測定する各種センサの検出結果、あるいはメンテナンススケジュール等の情報を用いて行われる。
さらに、第２の蓄電装置の使用としては、例えば、各需要家において生じた余剰電力を蓄える充電制御、あるいは各需要家における電力消費を賄う放電制御等が含まれる。
【００３１】
なお、第２の蓄電装置が近隣の配電網に配備されているか否かは、例えば、第１の蓄電装置と第２の蓄電装置との間のインピーダンス値、電力網構造等の情報を用いて判断することができる。
これにより、近隣の配電網上に配置された複数の蓄電装置について、特定の蓄電装置（第１の蓄電装置）が使用できない場合には、他の蓄電装置（第２の蓄電装置）を使用することができる。
【００３２】
第１３の発明に係る蓄電制御プログラムは、配電網上に配備された複数の蓄電装置の充放電制御を行う蓄電制御プログラムであって、状態判定ステップと、信号生成ステップと、通信ステップと、を備えている蓄電制御方法をコンピュータに実行させる。状態判定ステップは、配電網上に配備された第１の蓄電装置の使用状態を判定する。信号生成ステップは、状態判定ステップにおける判定結果に応じて、配電網上において第１の蓄電装置と接続された第２の蓄電装置を、第１の蓄電装置の代わりに使用するための制御信号を生成する。通信ステップは、信号生成ステップにおいて生成された制御信号を、第２の蓄電装置に対して送信する。
【００３３】
ここでは、配電網上に配備された複数の蓄電装置に含まれる第１の蓄電装置の使用状態の判定結果に応じて、近隣の配電網上に配備された他の蓄電装置（第２の蓄電装置）を、第１の蓄電装置の代わりに使用するように制御を行う。
すなわち、本蓄電制御プログラムでは、第１の蓄電装置が使用できない状態であると判定された場合に、第１の蓄電装置の近隣の配電網上に配備された第２の蓄電装置を使用するように制御信号を生成して、第２の蓄電装置へ送信する。
【００３４】
ここで、第１の蓄電装置の使用状態に応じて、第１の蓄電装置の代わりに使用される第２の蓄電装置は、単数であってもよいし、複数であってもよい。つまり、第１の蓄電装置の代わりとして、複数の第２の蓄電装置を用いてもよい。
また、状態判定ステップにおいて判定される第１の蓄電装置の使用状態としては、例えば、メンテナンスのために使用不可の状態、故障による使用不可の状態、正常な稼動状態等が含まれる。
【００３５】
また、これらの第１の蓄電装置の使用状態の判定は、蓄電装置として使用可能であるか否かを示す状態であって、例えば、第１の蓄電装置に含まれるセルの電流、電圧等を測定する各種センサの検出結果、あるいはメンテナンススケジュール等の情報を用いて行われる。
さらに、第２の蓄電装置の使用としては、例えば、各需要家において生じた余剰電力を蓄える充電制御、あるいは各需要家における電力消費を賄う放電制御等が含まれる。
【００３６】
なお、第２の蓄電装置が近隣の配電網に配備されているか否かは、例えば、第１の蓄電装置と第２の蓄電装置との間のインピーダンス値、電力網構造等の情報を用いて判断することができる。
これにより、近隣の配電網上に配置された複数の蓄電装置について、特定の蓄電装置（第１の蓄電装置）が使用できない場合には、他の蓄電装置（第２の蓄電装置）を使用することができる。
【発明の効果】
【００３７】
本発明に係る蓄電制御装置によれば、複数の蓄電装置が配電網上に配備された構成において、第１の蓄電置の使用状況に応じて、第１の蓄電装置と配電網上で接続された第２の蓄電装置の使用することができる。
【図面の簡単な説明】
【００３８】
【図１】本発明の一実施形態に係る蓄電制御装置を含む需要家Ａが所有する蓄電装置と、近隣の配電網上に配備された他の需要家が所有する蓄電装置との関係を示すブロック図。
【図２】図１の需要家Ａが所有する蓄電装置の構成を示すブロック図。
【図３】図２の蓄電制御装置による蓄電制御方法の流れを示すフローチャート。
【図４】図２の蓄電制御装置に含まれる検索部によって検索された近隣の配電網上に配備された他の蓄電装置を示す図。
【図５】本発明の他の実施形態に係る蓄電制御装置の構成を示すブロック図。
【図６】本発明のさらに他の実施形態に係る蓄電制御装置を所有する需要家Ｄと、近隣の配電網上に配備された他の需要家が所有する蓄電装置との関係を示すブロック図。
【発明を実施するための形態】
【００３９】
本発明の一実施形態に係る蓄電制御装置について、図１〜図４を用いて説明すれば以下の通りである。
ここで、以下の説明において登場する需要家Ａ２０は、発電装置（ソーラーパネル２１）とメンテナンス中の蓄電装置（第１の蓄電装置）２３とを所有しており、配電網５１上において他の需要家が所有する蓄電装置（第２の蓄電装置）３３，４３の使用を希望する需要家を意味している。また、需要家Ｂ３０は、発電装置（ソーラーパネル３１）と蓄電装置３３とを所有しており、需要家Ａ２０によって配電網５１上において共有される蓄電装置３３を使用される需要家を意味している。そして、需要家Ｃ４０は、需要家Ａ２０，Ｂ３０の近隣の配電網５１に接続されており、需要家Ａ２０によって検索される他の蓄電装置４３を所有する需要家を意味している。
【００４０】
なお、需要家Ｂ３０，Ｃ４０は、需要家Ａ２０によって使用される蓄電装置３３，４３が所定時間ごとに入れ替わってもよい。
また、需要家とは、例えば、電力会社と契約を結んでおり、電力会社から系統５０（図１参照）を介して配電網５１によって供給される電力を使用する個人、法人、団体等であって、例えば、一般家庭（戸建て、マンション）、企業（事業所、工場、設備等）、地方自治体、国の機関等が含まれる。なお、需要家には、自家発電によって電力をまかなう需要家、ＺＥＢ（Zero Energy Building）を実現した需要家も含まれる。
【００４１】
また、以下の実施形態において、系統５０（図１参照）とは、電力会社から供給される電力を配電網５１によって各需要家に対して供給する電力系統を意味している。
そして、以下の実施形態において、スマートメータ２７，３７，４７（図１参照）とは、各需要家にそれぞれ設置され、発電量、蓄電量、消費電力量を計測し、通信機能を用いて、計測結果を電力会社等へ送信する計測機器を意味している。スマートメータ２７，３７，４７を設置したことにより、電力会社は、各需要家Ａ２０，Ｂ３０，Ｃ４０におけるリアルタイムの電力状況を正確に把握できるとともに、所定期間ごとに実施される検針業務を自動化することができる。
【００４２】
さらに、以下の実施形態において、負荷２４，３４，４４（図１参照）とは、例えば、需要家が一般家庭の場合には、エアコン、冷蔵庫、電力レンジ、ＩＨクッキングヒータ、テレビ等の電力消費体を意味している。また、例えば、需要家が企業（工場等）の場合には、工場内に設置された各種設備、空調設備等の電力消費体を意味している。
さらに、以下の実施形態において、ＥＭＳ（Energy Management System）２６，３６，４６（図１参照）とは、需要家Ａ２０，Ｂ３０，Ｃ４０にそれぞれ設置されており、需要家Ａ２０，Ｂ３０，Ｃ４０における消費電力量を削減するために設けられたシステムを意味している。
【００４３】
（実施形態１）
本実施形態に係る蓄電制御装置１０は、需要家Ａ２０が所有する蓄電装置２３に設けられている。そして、本蓄電制御装置１０は、蓄電装置２３の使用状態を判定結果に応じて、配電網５１に接続された複数の需要家Ｂ３０，Ｃ４０が所有する他の蓄電装置３３，４３を検索して、使用可能な蓄電装置を使用する。
【００４４】
具体的には、蓄電制御装置１０は、図２に示すように、需要家Ａ２０が所有する蓄電装置２３がメンテナンス中であると判定すると、配電網５１上に配備され使用可能な他の蓄電装置３３，４３を検索する。そして、蓄電制御装置１０は、最適な蓄電装置３３を使用するための制御信号を生成し、蓄電装置３３に制御信号を送信する。
なお、図１に示す各需要家Ａ２０，Ｂ３０，Ｃ４０内の実線は、データ等の情報の流れを示しており、一点鎖線は電気の流れを示している。
また、本実施形態の蓄電制御装置１０の構成については、後段にて詳述する。
【００４５】
（需要家Ａ）
本実施形態では、需要家Ａ２０は、図１に示すように、電力会社から供給される電力を供給する系統５０に接続されている。そして、需要家Ａ２０は、後述する需要家Ｂ３０，Ｃ４０の近隣の配電網５１を介して系統５０に接続されている。
【００４６】
需要家Ａ２０は、図１に示すように、ソーラーパネル（発電装置）２１、太陽光発電用電力変換装置（ＰＣＳ）２２、発電電力用電力センサ２２ａ、蓄電装置（第１の蓄電装置）２３、蓄電電力用電力センサ２３ａ、負荷２４、負荷用電力センサ２４ａ、分電盤２５、ＥＭＳ（Energy Management System）２６、およびスマートメータ２７を備えている。
ソーラーパネル２１は、太陽光の光エネルギーを用いた光起電力効果を利用して電気を発生させる装置であって、需要家Ａ２０の屋根等に設置されている。そして、ソーラーパネル２１における発電量は、天気予報の日照時間に関する情報に基づいて予測することができる。
【００４７】
太陽光発電用電力変換装置（ＰＣＳ（Power Conditioning System））２２は、図１に示すように、ソーラーパネル２１と接続されており、ソーラーパネル２１において発生した直流電流を交流電流に変換する。
発電電力用電力センサ２２ａは、図１に示すように、太陽光発電用電力変換装置２２に接続されており、ソーラーパネル２１において発電した電力量を測定する。そして、発電電力用電力センサ２２ａは、ＥＭＳ２６に対して測定結果（発電量）を送信する。
【００４８】
蓄電装置２３は、ソーラーパネル２１において発電した電力のうち、負荷２４によって消費しきれなかった余剰電力を一時的に蓄えるために設けられている。これにより、ソーラーパネル２１によって発電する日中の時間帯において、負荷２４による消費電力量が少ない場合でも、余った電力を蓄電装置２３へ蓄えておくことで、発電した電力を捨ててしまう無駄を排除できる。
【００４９】
本実施形態では、蓄電装置２３は、近隣の配電網５１に接続された複数の需要家Ａ２０，Ｂ３０，Ｃ４０によって共有される蓄電装置であって、メンテナンス中のために使用不可となった蓄電装置として説明される。
なお、蓄電装置２３内に設けられた蓄電制御装置１０については、後段にて詳述する。
蓄電電力用電力センサ２３ａは、図１に示すように、蓄電装置２３に接続されており、蓄電装置２３において蓄えられている電力量を測定する。そして、蓄電電力用電力センサ２３ａは、ＥＭＳ２６に対して測定結果（蓄電量）を送信する。
【００５０】
また、蓄電装置２３は、図２に示すように、センサ２３ｂａ，２３ｂｂ，２３ｂｃと、セル２３ｃａ，２３ｃｂ，２３ｃｃを有している。
センサ２３ｂａ，２３ｂｂ，２３ｂｃは、蓄電装置２３の使用状態を判定するために、各セル２３ｃａ，２３ｃｂ，２３ｃｃの入出力電流、電圧値、温度等を計測する。
セル２３ｃａ，２３ｃｂ，２３ｃｃは、蓄電装置２３を構成する電力を蓄える部分であって、充放電制御部１６によって入出力電流が制御される。
【００５１】
負荷２４は、上述したように、一般家庭におけるエアコンや冷蔵庫等の家電製品、工場等における設備、空調装置等の電力消費体であって、系統５０から供給される電力、ソーラーパネル２１によって発生した電力、蓄電装置２３において蓄えられた電力を消費する。
負荷用電力センサ２４ａは、図１に示すように、負荷２４に接続されており、負荷２４によって消費される電力量を測定する。そして、負荷用電力センサ２４ａは、ＥＭＳ２６に対して測定結果（消費電力量）を送信する。
【００５２】
分電盤２５は、図１に示すように、発電電力用電力センサ２２ａ、蓄電電力用電力センサ２３ａ、負荷用電力センサ２４ａ、およびスマートメータ２７と接続されている。そして、分電盤２５は、ソーラーパネル２１において発電した電力、蓄電装置２３に蓄えられた電力を、負荷２４に対して供給する。
ＥＭＳ（Energy Management System）２６は、上述したように、需要家Ａ２０における消費電力量を削減するために設けられたエネルギー管理システムであって、図１に示すように、各センサ２２ａ，２３ａ，２４ａと接続されている。また、ＥＭＳ２６は、各センサ２２ａ，２３ａ，２４ａから受信した検出結果を用いて、ソーラーパネル２１による発電電力、蓄電装置２３における蓄電量を効率よく負荷２４に対して供給する。これにより、系統５０から供給される電力の消費量を抑制して、需要家Ａ２０における電力コストを効果的に削減することができる。
【００５３】
スマートメータ２７は、上述したように、需要家Ａ２０が所有するソーラーパネル２１の発電量、蓄電装置２３の蓄電量、および負荷２４の消費電力量を計測する。そして、スマートメータ２７は、図１に示すように、分電盤２５を介して各センサ２２ａ，２３ａ，２４ａと接続されている。さらに、スマートメータ２７は、通信機能を有している。
【００５４】
（需要家Ｂ）
本実施形態では、需要家Ｂ３０は、図１に示すように、需要家Ａ２０と同様に、配電網５１を介して、系統５０に接続されている。
なお、本実施形態では、需要家Ｂ３０は、蓄電装置（第２の蓄電装置）３３を所有している。そして、蓄電装置３３は、需要家Ａ２０から蓄電装置２３の代わりに使用される蓄電装置として選択される。
需要家Ｂ３０は、需要家Ａ２０と同様に、図１に示すように、ソーラーパネル（発電装置）３１、太陽光発電用電力変換装置（ＰＣＳ）３２、発電電力用電力センサ３２ａ、蓄電装置（第２の蓄電装置）３３、蓄電電力用電力センサ３３ａ、負荷３４、負荷用電力センサ３４ａ、分電盤３５、ＥＭＳ（Energy Management System）３６、およびスマートメータ３７を備えている。
【００５５】
ソーラーパネル３１は、太陽光の光エネルギーを用いた光起電力効果を利用して電気を発生させる装置であって、需要家Ｂ３０の屋根等に設置されている。そして、ソーラーパネル３１における発電量は、天気予報の日照時間に関する情報に基づいて予測することができる。
太陽光発電用電力変換装置（ＰＣＳ（Power Conditioning System））３２は、図１に示すように、ソーラーパネル３１と接続されており、ソーラーパネル３１において発生した直流電流を交流電流に変換する。
【００５６】
発電電力用電力センサ３２ａは、図１に示すように、太陽光発電用電力変換装置３２に接続されており、ソーラーパネル３１において発電した電力量を測定する。そして、発電電力用電力センサ３２ａは、ＥＭＳ３６に対して測定結果（発電量）を送信する。
蓄電装置３３は、ソーラーパネル３１において発電した電力のうち、負荷３４によって消費しきれなかった余剰電力を一時的に蓄えるために設けられている。これにより、ソーラーパネル３１によって発電する日中の時間帯において、負荷３４による消費電力量が少ない場合でも、余った電力を蓄電装置３３へ蓄えておくことで、発電した電力を捨ててしまう無駄を排除できる。
【００５７】
蓄電電力用電力センサ３３ａは、図１に示すように、蓄電装置３３に接続されており、蓄電装置３３において蓄えられている電力量を測定する。そして、蓄電電力用電力センサ３３ａは、ＥＭＳ３６に対して測定結果（蓄電量）を送信する。
負荷３４は、上述したように、一般家庭におけるエアコンや冷蔵庫等の家電製品、工場等における設備、空調装置等の電力消費体であって、系統５０から供給される電力、ソーラーパネル３１によって発生した電力、蓄電装置３３において蓄えられた電力を消費する。
【００５８】
負荷用電力センサ３４ａは、図１に示すように、負荷３４に接続されており、負荷３４によって消費される電力量を測定する。そして、負荷用電力センサ３４ａは、ＥＭＳ３６に対して測定結果（消費電力量）を送信する。
分電盤３５は、図１に示すように、発電電力用電力センサ３２ａ、蓄電電力用電力センサ３３ａ、負荷用電力センサ３４ａ、およびスマートメータ３７と接続されている。そして、分電盤３５は、ソーラーパネル３１において発電した電力、蓄電装置３３に蓄えられた電力を、負荷３４に対して供給する。
【００５９】
ＥＭＳ（Energy Management System）３６は、上述したように、需要家Ｂ３０における消費電力量を削減するために設けられたエネルギー管理システムであって、図１に示すように、各センサ３２ａ，３３ａ，３４ａと接続されている。また、ＥＭＳ３６は、各センサ３２ａ，３３ａ，３４ａから受信した検出結果を用いて、ソーラーパネル３１による発電電力、蓄電装置３３における蓄電量を効率よく負荷３４に対して供給する。これにより、系統５０から供給される電力の消費量を抑制して、需要家Ｂ３０における電力コストを効果的に削減することができる。
【００６０】
スマートメータ３７は、上述したように、需要家Ｂ３０が所有するソーラーパネル３１の発電量、蓄電装置３３の蓄電量、および負荷３４の消費電力量を計測する。そして、スマートメータ３７は、図１に示すように、分電盤３５を介して各センサ３２ａ，３３ａ，３４ａと接続されている。さらに、スマートメータ３７は、通信機能を有している。
【００６１】
（需要家Ｃ）
本実施形態では、需要家Ｃ４０は、図１に示すように、需要家Ａ２０，Ｂ３０の近隣の配電網５１を介して、系統５０に接続されている。
なお、本実施形態では、需要家Ｃ４０は、配電網５１を介して共有される蓄電装置（第２の蓄電装置）４３を所有している。そして、蓄電装置４３は、需要家Ａ２０から蓄電装置２３の代わりに使用される候補として検索されたものの、非選択となった蓄電装置として説明される。
需要家Ｃ４０は、図１に示すように、ソーラーパネル（発電装置）４１、太陽光発電用電力変換装置（ＰＣＳ）４２、発電電力用電力センサ４２ａ、蓄電装置（第２の蓄電装置）４３、蓄電電力用電力センサ４３ａ、負荷４４、負荷用電力センサ４４ａ、分電盤４５、ＥＭＳ（Energy Management System）４６、およびスマートメータ４７を備えている。
なお、これらの構成は、需要家Ａ２０，Ｂ３０が所有する各構成と同様の機能を備えていることから、ここでは、それらの詳細な説明を省略する。
【００６２】
（蓄電制御装置１０の構成）
本実施形態の蓄電制御装置１０は、図２に示すように、配電網５１上において複数の需要家Ａ２０，Ｂ３０，Ｃ４０によって共有可能な蓄電装置２３内に設けられている。そして、蓄電制御装置１０は、需要家Ａ２０によって使用される際に、蓄電装置２３の使用状態の判定を実施した結果、メンテナンスや故障等によって使用不可と判定した場合には、配電網５１上に配備された他の蓄電装置３３，４３等を検索して、使用可能な蓄電装置を使用する。
【００６３】
蓄電制御装置１０は、図２に示すように、状態判定部１１、データベース１２、検索部１３、信号生成部１４、通信部１５、充放電制御部１６、表示制御部１７、および表示部１８を有している。
状態判定部１１は、蓄電装置２３を構成する複数のセル２３ｃａ，２３ｃｂ，２３ｃｃの入出力電流を監視するそれぞれのセンサ２３ｂａ，２３ｂｂ，２３ｂｃと接続されている。そして、状態判定部１１は、センサ２３ｂａ，２３ｂｂ，２３ｂｃにおける検出結果、蓄電装置２３のメンテナンス計画、現在時刻等の情報に基づいて、蓄電装置２３の使用状態を判定する。
【００６４】
ここで、状態判定部１１において判定される蓄電装置２３の使用状態としては、「正常稼働中」、「メンテナンス中」、「故障中」等が含まれる。そして、本実施形態では、その一例として、状態判定部１１において「メンテナンス中」のため蓄電・放電機能が使用不可の状態であると判定された場合について以下で説明する。
例えば、状態判定部１１が、データベース１２に保存されたメンテナンス計画の情報を参照した結果、現在時刻がメンテナンス期間内である場合には、蓄電装置２３はメンテナンス中であるため、蓄電装置２３の蓄電・放電機能が使用不可の状態にあると判定する。
【００６５】
なお、蓄電装置２３が故障中であるか否かの判定は、状態判定部１１が接続されたセンサ２３ｂａ，２３ｂｂ，２３ｂｃにおける検出結果に基づいて実施されればよい。つまり、センサ２３ｂａ，２３ｂｂ，２３ｂｃにおける電流値あるいは電圧値等が検出できない場合には、蓄電装置２３が故障中であると判定すればよい。
データベース１２は、状態判定部１１、検索部１３および表示制御部１７と接続されている。そして、データベース１２は、状態判定部１１における判定に使用される蓄電装置２３のメンテナンス計画に関する情報、状態判定部１１における判定結果、検索部１３における検索結果等の情報を保存する。
【００６６】
検索部１３は、状態判定部１１において、蓄電装置２３がメンテナンス中で使用不可と判定された場合には、配電網５１上に配備された他の需要家Ｂ３０，Ｃ４０等が所有する共有の蓄電装置３３，４３等を検索する。
つまり、本実施形態では、需要家Ａ２０が所有する蓄電装置２３の蓄電・放電機能が使用不可の状態と判定されている。このため、検索部１３は、需要家Ａ２０が使用したい蓄電装置を確保するために、充電容量に余裕のある配電網５１上において近隣の蓄電装置３３，４３を検索して、抽出する。
【００６７】
ここで、検索部１３における検索条件としては、
・需要家Ａ２０が接続された配電網５１上に配備された蓄電装置であること、
・需要家Ａ２０が使用を希望している容量分の余裕度がある蓄電装置であること、
・需要家Ａ２０に対して配電網５１上における距離が近いこと、
・使用したい蓄電池を所有する他の需要家Ｂ３０，Ｃ４０が使用許可を出していること、
等が考えられる。
【００６８】
まず、需要家Ａ２０と配電網５１上に配備された蓄電装置であるか否かは、データベース１２に予め保存された配電網５１に関する情報に基づいて検索対象を絞り込んでもよいし、検索部１３において検索可能な範囲として予め設定しておいてもよい。
また、他の蓄電装置の充電容量の余裕度は、例えば、過去１か月に未使用であった充電容量に関する情報を参照して確認することができる。
【００６９】
さらに、需要家Ａ２０に対して配電網５１上における距離が近いか否かについては、例えば、蓄電装置間のインピーダンスの値を参照して確認することができる。つまり、蓄電装置間の距離が大きくなると、インピーダンスの値は大きくなる。よって、インピーダンスが大きい蓄電装置を使用した場合には、例えば、需要家Ａ２０へ供給される電力の損失が大きくなってしまうため、効率よく他の蓄電装置３３等を使用することができない。
【００７０】
他の需要家Ｂ３０，Ｃ４０が使用許可を出しているか否かは、例えば、配電網５１に接続された各需要家Ａ２０，Ｂ３０，Ｃ４０等から予め確認しておいた使用許諾の可否に関する情報を用いて行われる。なお、使用許諾に関する情報は、データベース１２にその情報を保存しておき、検索時にはその情報を用いればよい。
そして、検索部１３は、その検索結果をテーブル化して、データベース１２に保存する（図４参照）。
【００７１】
信号生成部１４は、状態判定部１１における判定結果に基づいて、配電網５１上に配備された他の蓄電装置３３，４３等のうち、検索部１３において条件を満たすとして選択された蓄電装置３３に対して、蓄電・放電機能を使用するための制御信号を生成する。また、信号生成部１４は、検索部１３における検索の結果、検索条件（需要家Ａ２０の使用条件）に合致した蓄電装置３３を予約するための予約信号を生成する。
【００７２】
通信部１５は、信号生成部１４において生成された制御信号を、蓄電装置３３の通信部３３ｂあるいは蓄電装置４３の通信部４３ｂに対して送信する。これにより、制御信号を受信した蓄電装置３３あるいは蓄電装置４３は、セル３３ｃあるいはセル４３ｃの蓄電・放電機能を需要家Ａ２０に対して使用させることができる。
充放電制御部１６は、蓄電装置２３を構成するセル２３ｃａ，２３ｃｂ，２３ｃｃとともに、配電網５１上に配備された他の蓄電装置３３，４３を構成するセル３３ｃ，４３ｃにも接続されている。そして、充放電制御部１６は、通信部１５から送信された制御信号に基づいて、蓄電装置２３の充放電制御を実施するとともに、配電網５１上に配備された他の蓄電装置３３，４３の充放電制御も実施することができる。
【００７３】
表示制御部１７は、状態判定部１１、データベース１２、検索部１３、充放電制御部１６および表示部１８に接続されている。そして、表示制御部１７は、状態判定部１１における判定結果、データベース１２に保存された各種情報、検索部１３に於ける検索結果、充放電制御部１６における制御内容等を、表示部１８に表示させる。
これにより、蓄電装置２３の所有者である需要家Ａ２０は、蓄電装置２３の使用状態、他の蓄電装置３３，４３等の使用の可否等に関する情報を容易に把握することができる。
表示部１８は、例えば、液晶表示パネル等を用いた表示装置であって、表示制御部１７によって表示制御される。
【００７４】
＜蓄電制御方法＞
本実施形態の蓄電制御装置１０では、以上のような構成により、図３に示すフローチャートに従って、状態判定部１１が、需要家Ａ２０が所有する共有の蓄電装置２３の使用状態を判定する。そして、蓄電制御装置１０では、状態判定部１１における判定結果に基づいて、配電網５１上に配備された他の蓄電装置３３を使用するために、信号生成部１４において制御信号を生成し、通信部１５を介して蓄電装置３３へ送信する。
【００７５】
すなわち、ステップＳ１１では、まず、需要家Ａ２０が所有する蓄電装置２３の使用状態を判定する。
ここで、蓄電装置２３の使用状態としては、上述したように、メンテナンス中、故障中、あるいは正常稼動中等が含まれる。
そして、メンテナンス中であるか否かの判定は、上述したように、データベース１２に保存されたメンテナンス計画に関する情報と現在の日時に関する情報とを参照して実施される。
【００７６】
次に、ステップＳ１２では、蓄電装置２３が使用不可の状態であるか否かを判定する。ここで、蓄電装置２３がメンテナンス中であるため使用不可と判定された場合には、ステップＳ１３へ進む。一方、蓄電装置２３が正常稼動状態であると判定された場合には、ステップＳ１１へ戻る。
次に、ステップＳ１３では、ステップＳ１２において蓄電装置２３が使用不可の状態であると判定されているため、近隣の配電網５１上に配備された他の蓄電装置３３，４３等の中から、需要家Ａ２０の使用条件を満たす蓄電装置を検索する。
【００７７】
次に、ステップＳ１４では、ステップＳ１３における検索の結果、検索条件（需要家Ａ２０の使用条件）に合致した蓄電装置３３を抽出し、信号生成部１４が予約信号を生成してその使用（容量、時間等）を予約する。
ここで、図４には、配電網５１上に配備された複数の蓄電装置のうち、未使用バッテリ容量１００ｗｈ以上、インピーダンス値２．０ｍΩ以下という条件で検索された複数の充電装置の検索結果が示されている。
【００７８】
すなわち、未使用バッテリ容量１００ｗｈ以上とは、需要家Ａ２０が必要としている電力量の条件を意味している。また、インピーダンス値２．０ｍΩ以下とは、例えば、選択された蓄電装置から需要家Ａ２０へ電力を供給してもらう際に生じる送電ロスが少ないという条件を意味している。
また、検索結果に挙げられた複数の蓄電装置には、ＩＤが付されており、例えば、ＩＤ１００００は、需要家Ａ２０が所有する使用不可となった蓄電装置２３を示している。
【００７９】
また、図４には、各蓄電装置のインピーダンス、バッテリ容量、未使用容量、使用許諾の有無に関する情報が示されている。
なお、制御信号の送信先は、予約済みの容量が存在する中でインピーダンス値が小さい蓄電装置ＩＤを優先して選択され、選択された蓄電装置に対して制御信号が送信される。
例えば、図４に示す検索結果では、インピーダンス値が０．７ｍΩと最も小さいＩＤ１０００１，ＩＤ１０００８の蓄電装置のうち、使用許諾を受けているＩＤ１０００１の蓄電装置３３が選択される。
【００８０】
次に、ステップＳ１５では、信号生成部１４が、ステップＳ１４において使用予約された蓄電装置３３に対して送信される制御信号を生成する。
次に、ステップＳ１６では、通信部１５が、ステップＳ１５において生成された制御信号を、蓄電装置３３に対して送信する。
本実施形態の蓄電制御装置１０では、以上のように、需要家Ａ２０が所有する蓄電装置２３の使用状態を検出してメンテナンス中で使用不可と判定された場合には、配電網５１上に配備された他の蓄電装置３３，４３等を検索して、条件に合致する蓄電装置３３の使用を予約する。そして、この蓄電装置３３に対して制御信号を送信することで、需要家Ａ２０は、配電網５１を介して接続された他の蓄電装置３３を使用することができる。
【００８１】
この結果、需要家Ａ２０は、自ら所有する蓄電装置２３が使用できない場合でも、配電網５１上において接続された他の需要家Ｂ３０が所有する蓄電装置３３等を使用することができる。
なお、図４に示すように、検索部１３において検索された複数の蓄電装置（ＩＤ１０００１〜１０００９）のうち、使用許諾をもらった蓄電装置（ＩＤ１０００１，１０００３，１０００５〜１０００７）が複数ある場合には、需要家Ａ２０が必要とする容量の一部、例えば、１０％を、一定期間（５日間）使用する制御信号を各蓄電装置に送信してもよい。
【００８２】
この場合には、制御信号を受信した複数の蓄電装置について、１０％の蓄電容量を５日間使用することが可能となる。
また、実際の使用時には、需要家Ａ２０が、例えば、昼間に太陽光の発電量を蓄電して夜間に電力を使用したい場合には、配電網５１上において近隣に配置された蓄電装置３３等に対して、制御信号を送信する。
【００８３】
具体的には、例えば、図４に示すＩＤ１０００１の蓄電装置３３が充電制御信号を受信した場合には、ＩＤ１０００１の蓄電装置３３の所有者である需要家Ｂ３０が使用している電流値に対して、ＩＤ１００００の蓄電装置２３の所有者である需要家Ａ２０が充電要求する電流値を上乗せして蓄電装置３３に充電することができる。
なお、制御信号の内容と制御信号の送信先とは、上述したように、図４に示すインピーダンス値の大きさに基づいて決定されればよい。
【００８４】
また、蓄電装置２３，３３とは、物理的に離れた場所に配置されている。このため、制御信号は、充放電電流や一定期間後の容量を伝達し、実際の制御は蓄電装置２３が実行してもよい。
制御信号の送信先は、予約済みの容量が存在する中でインピーダンス値が小さい蓄電装置ＩＤを優先して選択され、選択された蓄電装置に対して制御信号が送信される。図４に示す状況では、インピーダンス値が０．７ｍΩと最も小さいＩＤ１０００１，ＩＤ１０００８の蓄電装置のうち、使用許諾を受けているＩＤ１０００１の蓄電装置３３が選択される。
【００８５】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、本発明に係る蓄電制御方法として、図３に示すフローチャートに従って実行する例を挙げて説明した。しかし、本発明はこれに限定されるものではない。
例えば、図３に示すフローチャートに従って実施される蓄電制御方法をコンピュータに実行させる蓄電制御プログラムとして、本発明を実現してもよい。
また、この蓄電制御プログラムを格納した記録媒体として、本発明を実現してもよい。
【００８６】
（Ｂ）
上記実施形態では、本発明に係る蓄電制御装置１０が、需要家Ａ２０が所有する蓄電装置２３内に設けられた例を挙げて説明した。しかし、本発明はこれに限定されるものではない。
【００８７】
例えば、本発明に係る蓄電制御装置を、図５に示すように、蓄電装置１２３とは別に設けられた蓄電制御装置１１０として構成してもよい。
この場合には、蓄電制御装置１１０に、蓄電装置１２３側の通信部１２３ａを介して蓄電装置１２３の使用状態を取得する状態取得部１１９を設けて、状態判定部１１における判定に用いる情報を取得すればよい。
【００８８】
（Ｃ）
上記実施形態では、需要家Ａ２０が、使用不可状態となった自ら所有する蓄電装置２３の代わりに、需要家Ｂ３０が所有する単数の蓄電装置３３を使用する例を挙げて説明した。しかし、本発明はこれに限定されるものではない。
例えば、需要家Ａ２０は、使用不可状態となった自ら所有する蓄電装置２３の代わりに、需要家Ｂ３０が所有する蓄電装置３３、需要家Ｃ４０が所有する蓄電装置４３等の複数の蓄電装置を使用するように制御信号を生成し、各蓄電装置へ送信してもよい。
【００８９】
（Ｄ）
上記実施形態では、需要家Ａ２０が、自ら所有する蓄電装置２３の使用ができない場合に、配電網５１を介して接続された他の需要家Ｂ３０が所有する蓄電装置３３を使用する例を挙げて説明した。しかし、本発明はこれに限定されるものではない。
例えば、図６に示すように、蓄電装置を所有しない需要家Ｄ１５０が、需要家Ａ２０が所有する蓄電装置２３を使用しようとした際に使用不可と判定された場合に、他の需要家Ｂ３０，Ｃ４０が所有する蓄電装置３３，４３を使用するケースに、本発明を適用してもよい。
【００９０】
この場合には、例えば、需要家Ｄ１５０は、分電盤１５５および負荷用電力センサ１５４ａを介して負荷１５４と接続されたスマートメータ１５７内に、蓄電制御装置２１０を設ければよい。
【００９１】
（Ｅ）
上記実施形態では、配電網５１に接続された各需要家Ａ２０，Ｂ３０，Ｃ４０が、ソーラーパネル２１，３１，４１、蓄電装置２３，３３，４３等の電力供給装置を備えている例を挙げて説明した。しかし、本発明はこれに限定されるものではない。
例えば、各需要家が所有する電力供給装置としては、上記以外にも、風力発電装置、地熱発電装置等の自然エネルギーを用いた他の発電装置であってもよいし、電気自動車（に搭載されたバッテリ）、ヒートポンプ等を用いてもよい。
また、各需要家が所有する電力供給装置は、同じ種類の装置に限らず、異なる種類の電力供給装置が所有されていてもよい。
【００９２】
（Ｆ）
上記実施形態では、蓄電制御装置１０が表示制御部１７および表示部１８を備えている構成を例として挙げて説明した。しかし、本発明はこれに限定されるものではない。
例えば、表示部としては、ＰＣ（Personal Computer）の画面等のように、外部装置の表示画面を用いてもよい。
【００９３】
この場合には、蓄電制御装置１０が備えている表示制御部１７によって、あるいはＰＣ側の表示制御部に表示情報を送信することで、ＰＣ画面等の表示を制御することができる。
【産業上の利用可能性】
【００９４】
本発明の蓄電制御装置は、複数の蓄電装置が配電網上に配備された構成において、第１の蓄電置の使用状況に応じて、第１の蓄電装置と配電網上で接続された第２の蓄電装置の使用することができるという効果を奏することから、配電網上に複数の蓄電装置が配備されたシステムに対して広く適用可能である。
【符号の説明】
【００９５】
１０      蓄電制御装置
１１      状態判定部
１２      データベース（記憶部）
１３      検索部
１４      信号生成部
１５      通信部
１６      充放電制御部
１７      表示制御部
１８      表示部
２０      需要家Ａ
２１      ソーラーパネル
２２      太陽光発電用電力変換装置（ＰＣＳ）
２２ａ    発電電力用電力センサ
２３      蓄電装置（第１の蓄電装置）
２３ａ    蓄電電力用電力センサ
２３ｂａ〜２３ｂｃ  センサ（電流センサ、電圧センサ、温度センサ）
２３ｃａ〜２３ｃｃ  セル
２４      負荷
２４ａ    負荷用電力センサ
２５      分電盤
２６      ＥＭＳ
２７      スマートメータ
３１      ソーラーパネル
３２      太陽光発電用電力変換装置（ＰＣＳ）
３２ａ    発電電力用電力センサ
３３      蓄電装置（第２の蓄電装置）
３３ａ    蓄電電力用電力センサ
３３ｂ    通信部
３３ｃ    セル
３４      負荷
３４ａ    負荷用電力センサ
３５      分電盤
３６      ＥＭＳ
３７      スマートメータ
４１      ソーラーパネル
４２      太陽光発電用電力変換装置（ＰＣＳ）
４２ａ    発電電力用電力センサ
４３      蓄電装置（第２の蓄電装置）
４３ａ    蓄電電力用電力センサ
４３ｂ    通信部
４３ｃ    セル
４４      負荷
４４ａ    負荷用電力センサ
４５      分電盤
４６      ＥＭＳ
４７      スマートメータ
５０      系統
５１      配電網
１１０    蓄電制御装置
１１９    状態取得部
１２３    蓄電装置（第１の蓄電装置）
１２３ａ  通信部
１５０    需要家Ｄ
１５４    負荷
１５４ａ  負荷用電力センサ
１５５    分電盤
１５７    スマートメータ
２１０    蓄電制御装置
【図１】
0006468216.tif 000002
【図２】
0006468216.tif 000003
【図３】
0006468216.tif 000004
【図４】
0006468216.tif 000005
【図５】
0006468216.tif 000006
【図６】
0006468216.tif 000007